【事件の表示】
　特願２００９−１９９３５５「写真シール作成装置、写真シール作成方法、およびプログラム」拒絶査定不服審判事件〔平成２３年　３月１７日出願公開、特開２０１１−　５３２４９〕について、次のとおり審決する。
【結　論】
　本件審判の請求は、成り立たない。
【理　由】
第１　手続の経緯
　本願は、平成２１年８月３１日の出願であって、平成２４年５月２２日付けで手続補正がなされ、同年８月２２日付けで拒絶査定がなされ、これに対して、同年１１月２８日付けで拒絶査定不服審判が請求されると同時に手続補正がなされたものである。
　なお、請求人は、当審における平成２５年４月１１日付け審尋に対して同年５月１６日付けで回答書を提出している。
　
第２　平成２４年１１月２８日付け手続補正についての補正却下の決定
〔補正却下の決定の結論〕
　平成２４年１１月２８日付け手続補正を却下する。
　
〔理由〕
１　本件補正の内容
　平成２４年１１月２８日付け手続補正（以下「本件補正」という。）は、特許請求の範囲及び発明の詳細な説明についてするものである。
（１）発明の詳細な説明についての本件補正は、本件補正前の段落【００１１】、【００１３】、【００１７】及び【００１８】に、
「　【００１１】
　本発明の第１の側面である写真シール作成装置は、利用者のライブビュー画像を取得するとともに、前記利用者を撮影して撮影画像を生成する撮影手段と
、組
、複
を
「　【００１３】
　本発明の第１の側面である写真シール作成装置においては、利用者のライブビュー画像を取得し
、組
、組
「　【００１７】
　本発明の第１の側面である写真シール作成方法は、写真シールを作成する写真シール作成装置の写真シール作成方法において、前記写真シール作成装置による、利用者のライブビュー画像を取得する取得ステップと
、組
、組
、複
像を
「　【００１８】
　本発明の第１の側面であるプログラムは、写真シールを作成する写真シール作成装置の制御用のプログラムであって、撮影手段を制御して、利用者のライブビュー画像を取得させる取得制御ステップと
、組
、組
、複
像を
　
「　【００１１】
　本発明の第１の側面である写真シール作成装置は、利用者のライブビュー画像を取得するとともに、前記利用者を撮影して撮影画像を生成する撮影手段と
、前記撮影手段によって撮像された生成済みの複数の撮影画像が合成された組
、前記撮影手段によって撮像された生成済みの複
と前記ライブビュー画像に基づいて撮影された撮影画像と
「　【００１３】
　本発明の第１の側面である写真シール作成装置においては、利用者のライブビュー画像を取得し
、撮像された生成済みの複数の前記撮影画像が合成された組
、撮像された生成済みの複数の前記撮影画像が合成された組
「　【００１７】
　本発明の第１の側面である写真シール作成方法は、写真シールを作成する写真シール作成装置の写真シール作成方法において、前記写真シール作成装置による、利用者のライブビュー画像を取得する取得ステップと
、撮影されて生成済みの複数の撮影画像が合成された組
、撮影されて生成済みの複数の撮影画像が合成された前記組
、撮影されて生成済みの複
像と前記ライブビュー画像に基づいて撮影された撮影画像とを
「　【００１８】
　本発明の第１の側面であるプログラムは、写真シールを作成する写真シール作成装置の制御用のプログラムであって、撮影手段を制御して、利用者のライブビュー画像を取得させる取得制御ステップと
、撮影されて生成済みの複数の撮影画像が合成された組
、撮影されて生成済みの複数の撮影画像が合成された前記組
、撮影されて生成済みの複
像と前記ライブビュー画像に基づいて撮影された撮影画像とを
　
（２）特許請求の範囲についての本件補正は、本件補正前に、
「　【請求項１】
　利用者のライブビュー画像を取得するとともに、前記利用者を撮影して撮影画像を生成する撮影手段と、
　
組
　
複
像を前
　前記撮影画像および前記合成画像を選択肢として前記利用者に編集対象画像を選択させる第１の選択手段と、
　選択された前記編集対象画像に所定の編集処理を施して編集済み画像を生成する編集手段と、
　前記編集済み画像を所定のシール紙に印刷する印刷手段と
　を備え、
　前記撮影手段は、前記提示手段により提示された、組み合わせパターンに前記ライブビュー画像を組み合わせた状態を確認した前記利用者からの操作に応じて前記利用者を撮影して前記撮影画像を生成する
　写真シール作成装置。
　　【請求項２】
　前記組み合わせパターンを前記利用者に選択させる第２の選択手段を
　さらに備える請求項１に記載の写真シール作成装置。
　　【請求項３】
　写真シールを作成する写真シール作成装置の写真シール作成方法において、
　前記写真シール作成装置による、
　　利用者のライブビュー画像を取得する取得ステップと、
　　
組
　　提示された
、組
　　
複
像を
　　前記撮影画像および前記合成画像を選択肢として前記利用者に編集対象画像を選択させる第１の選択ステップと、
　　選択された前記編集対象画像に所定の編集処理を施して編集済み画像を生成する編集ステップと、
　　前記編集済み画像を所定のシール紙に印刷する印刷ステップと
　を含む写真シール作成方法。
　　【請求項４】
　写真シールを作成する写真シール作成装置の制御用のプログラムであって、
　撮影手段を制御して、利用者のライブビュー画像を取得させる取得制御ステップと、
　
組
　前記撮影手段を制御して、提示された
、組
　
複
像を
　前記撮影画像および前記合成画像を選択肢として前記利用者に編集対象画像を選択させる第１の選択ステップと、
　選択された前記編集対象画像に所定の編集処理を施して編集済み画像を生成する編集ステップと、
　前記編集済み画像を所定のシール紙に印刷させる印刷制御ステップと
　を含む処理を写真シール作成装置のコンピュータに実行させるプログラム。」とあったものを、
　
「　【請求項１】
　利用者のライブビュー画像を取得するとともに、前記利用者を撮影して撮影画像を生成する撮影手段と、
　
前記撮影手段によって生成済みの複数の撮影画像が合成された組
　
前記撮影手段によって生成済みの複
像と前記ライブビュー画像に基づいて撮影された撮影画像と前
　前記撮影画像および前記合成画像を選択肢として前記利用者に編集対象画像を選択させる第１の選択手段と、
　選択された前記編集対象画像に所定の編集処理を施して編集済み画像を生成する編集手段と、
　前記編集済み画像を所定のシール紙に印刷する印刷手段と
　を備え、
　前記撮影手段は、前記提示手段により提示された、組み合わせパターンに前記ライブビュー画像を組み合わせた状態を確認した前記利用者からの操作に応じて前記利用者を撮影して前記撮影画像を生成する
　写真シール作成装置。
　　【請求項２】
　前記組み合わせパターンを前記利用者に選択させる第２の選択手段を
　さらに備える請求項１に記載の写真シール作成装置。
　　【請求項３】
　写真シールを作成する写真シール作成装置の写真シール作成方法において、
　前記写真シール作成装置による、
　　利用者のライブビュー画像を取得する取得ステップと、
　　
撮影されて生成済みの複数の撮影画像が合成された組
　　提示された
、撮影されて生成済みの複数の撮影画像が合成された前記組
　　
撮影されて生成済みの複
像と前記ライブビュー画像に基づいて撮影された撮影画像とを
　　前記撮影画像および前記合成画像を選択肢として前記利用者に編集対象画像を選択させる第１の選択ステップと、
　　選択された前記編集対象画像に所定の編集処理を施して編集済み画像を生成する編集ステップと、
　　前記編集済み画像を所定のシール紙に印刷する印刷ステップと
　を含む写真シール作成方法。
　　【請求項４】
　写真シールを作成する写真シール作成装置の制御用のプログラムであって、
　撮影手段を制御して、利用者のライブビュー画像を取得させる取得制御ステップと、
　
撮影されて生成済みの複数の撮影画像が合成された組
　前記撮影手段を制御して、提示された
、撮影されて生成済みの複数の撮影画像が合成された前記組
　
撮影されて生成済みの複
像と前記ライブビュー画像に基づいて撮影された撮影画像とを
　前記撮影画像および前記合成画像を選択肢として前記利用者に編集対象画像を選択させる第１の選択ステップと、
　選択された前記編集対象画像に所定の編集処理を施して編集済み画像を生成する編集ステップと、
　前記編集済み画像を所定のシール紙に印刷させる印刷制御ステップと
　を含む処理を写真シール作成装置のコンピュータに実行させるプログラム。」とするものである。
　
（３）本件補正は、要するに、次のア及びイの補正からなるものであるといえる。
　ア　「組み合わせパターンにライブビュー画像を組み合わせた状態で利用者に提示」する「組み合わせパターン」を「撮影手段によって撮像された生成済みの複数の撮影画像が合成された」ものであるとする補正
　イ　「複数の前記撮影画像を前記組み合わせパターンにしたがって合成して合成画像を生成する」における「複数の前記撮影画像」を「前記撮影手段によって撮像された生成済みの複数の前記撮影画像と前記ライブビュー画像に基づいて撮影された撮影画像と」であるとする補正
　
２　新規事項の追加について
（１）上記１（３）アの補正に係る本件補正は、組み合わせパターンにライブビュー画像を組み合わせた状態で利用者に提示する又は提示された「組み合わせパターン」が「撮影手段によって撮像された生成済みの複数の撮影画像が合成された」ものであるとするものである。
　しかしながら、「撮影手段によって撮像された生成済みの複数の撮影画像が合成された組み合わせパターンにライブビュー画像を組み合わせた状態で利用者に提示する」との事項は、本願の願書に最初に添付された特許請求の範囲、明細書又は図面（以下「当初明細書」という。）に記載されていない。
　
（２）当初明細書には、次のアないしウの記載がある。
　ア　「【００９０】
また、ディスプレイ１２３は、シャッタータイミングに先立ち、
カメラ５１によって取得される被写体の動画像を、背景または前景となる合成用画像が合成された状態で表示する（ライブビュー表示を行う）
　
　イ　「【０１６４】
ステップＳ２において、撮影処理部２０２は、撮影部１１１の各部を制御し、撮影空間３２内において行われる、写真シール作成ゲームの撮影作業に関する処理である
ライブビュー撮影処理を実行する
ライブビュー撮影処理では、利用者を被写体とする動画像に合成用画像が合成された状態でタッチパネルモニタ５２に常時表示される
　
　ウ　「【０１７０】
 次に、上述した写真シール作成ゲームの一連の処理における
ステップＳ２のライブビュー撮影処理
【０１７１】
ステップＳ１０１において、撮影処理部２０２の操作入力処理部２１１は、タッチパネルモニタ５２を用いて、例えば図１５Ａに示すような撮影コース選択画面２３０を表示させ、利用者に撮影コースの選択を促す。
【０１７２】
ここで、こだわりコースが選択された場合、従来と同様に、撮影回数と同じ数の撮影画像が得られ、その中から複数の編集対象画像を選択することになる。
【０１７３】
 一方、組み合わせ画像コースが選択された場合、撮影回数よりも多い数の画像が得られ、その中から複数の編集対象画像を選択することになる。以下、組み合わせ画像コースが選択された後の第１の動作例について説明を継続する。
【０１７４】
ステップＳ１０２において、撮影処理部２０２の管理部２１４は、ライブビュー撮影処理の経過時間ｔの計時を開始する。
【０１７５】
ステップＳ１０３において、操作入力処理部２１１は、タッチパネルモニタ５２を用いて、例えば図１５Ｂに示すような撮影イメージ選択画面２３１（撮影イメージ選択画面の第１の表示例）を表示させ、利用者に組み合わせパターンの選択を促す。
【０１７６】
ここで、
組み合わせパターン
Ｘ回の撮影により得られるＸ枚の被写体静止画像を組み合わせて１枚の合成静止画像を生成する際の、複数の被写体静止画像の配置を示すもの
組み合わせパターンに前景および背景が含まれていてもよい
【０１７７】
 同図Ｂには、６枚の撮影画像Ｐ１乃至Ｐ６を組み合わせて１枚の合成静止画像を生成する際の、２種類の組み合わせパターンが表示されており、左側の組み合わせパターンが利用者によって選択された状態を示している。なお、選択肢の数は２種類に限定されるものではない。
【０１７８】
ステップＳ１０４において、管理部２１４は、カメラ５１を制御して、被写体の動画像（被写体動画像）の取得を開始させる
【０１７９】
ステップＳ１０５において、撮影処理部２０２の合成処理部２１２は、
被写体動画像を組み合わせパターン上の所定の位置（具体的には、１回目の撮影時にはＰ１の位置、２回目の撮影時にはＰ２の位置など）に合成する
【０１８０】
さらに、ステップＳ１０５において、撮影処理部２０２の表示制御部２１３は、
タッチパネルモニタ５２を用いて、例えば図１６Ａに示すようなライブビュー画面２３２を表示させる
当該被写体動画像が組み合わせパターンに合成された合成動画像
を
を表示する
組み合わせパターンにおける配置を確認する
【０１８１】
ステップＳ１０６においては、管理部２１４は、シャッタータイミングまでのカウントダウン（例えば、初期値が３秒）を開始するとともに、タッチパネルモニタ５２に、例えば「３，２，１，０」などとシャッタータイミングまでの残り秒数を示すカウントダウンインジケータをライブビュー画面２３２に重畳して表示させ、さらに、スピーカ５５からもカウントダウンの音声を出力させて利用者にシャッタータイミングを通知し、カメラ５１を制御して
シャッタータイミングに同期して撮影を実行させる
被写体静止画像が出力されて保存され
【０１８２】
また、合成処理部２１２では、
被写体静止画像が組み合わせパターン上の所定の位置に合成されて合成静止画像が生成される
２回目以降の撮影においては、１回目の撮影で生成された合成生成画像に、２回目の被写体静止画像が組み合わされて合成静止画像が生成される
【０１８３】
ステップＳ１０７において、表示制御部２１３は、
タッチパネルモニタ５２を用いて、例えば図１６Ｂに示すような撮影結果画面２３３、または図１６Ｃに示すような撮影結果画面２３４を表示させる
合成静止画像を被写体静止画像と同じサイズで表示する
【０１８４】
ステップＳ１０８において、管理部２１４は、撮影回数が所定数Ｘ（例えば、６回）に到達したか否かを判定する。そして、
撮影回数が所定数Ｘに到達していないと
処理はステップＳ１０５に戻されて、それ以降が繰り返される
　
（３）上記（２）の記載から、次のアないしカのことが把握できる。
　ア　カメラによって取得される被写体の動画像を、背景または前景となる合成用画像が合成された状態で表示するライブビュー表示すること。
　イ　利用者を被写体とする動画像に合成用画像が合成された状態でタッチパネルモニタに常時ライブビュー表示すること。
　ウ　被写体動画像を組み合わせパターン上の所定の位置（具体的には、１回目の撮影時にはＰ１の位置、２回目の撮影時にはＰ２の位置など）に合成し、タッチパネルモニタを用いて合成された合成動画像を表示し、組み合わせパターンにおける配置を確認できるようにすること。
　エ　シャッタータイミングに同期して撮影を実行させ、被写体静止画像が出力されて保存され、被写体静止画像が組み合わせパターン上の所定の位置に合成されて合成静止画像が生成され、２回目以降の撮影においては、１回目の撮影で生成された合成生成画像に、２回目の被写体静止画像が組み合わされて合成静止画像が生成され、タッチパネルモニタを用いて、合成静止画像を被写体静止画像と同じサイズで表示すること。
　オ　撮影回数が所定数Ｘに到達していないと、動画像の表示（ライブビュー表示）と、撮影実行後の静止画像の表示とが繰り返されること。
　カ　合成用画像とは、背景または前景となるものであり、組み合わせパターンとは、Ｘ回の撮影により得られるＸ枚の被写体静止画像を組み合わせて１枚の合成静止画像を生成する際の、複数の被写体静止画像の配置を示すもので、前景および背景が含まれていてもよいものであって、いずれも、撮影手段によって撮像された生成済みの撮影画像ではないこと。
　
（４）上記（３）からみて、「撮影手段によって撮像された生成済みの複数の撮影画像が合成された組み合わせパターンを利用者に提示する」こと（上記（３）エ）、及び、「組み合わせパターンにライブビュー画像を組み合わせた状態で利用者に提示する」ことは、いずれも、当初明細書の記載から把握できる事項であるが、当初明細書の記載において、ライブビュー画像を組み合わせた状態で利用者に提示される「組み合わせパターン」や「合成用画像」は、「撮影手段によって撮像された生成済みの撮影画像」ではないから、「撮影手段によって撮像された生成済みの複数の撮影画像が合成された組み合わせパターンにライブビュー画像を組み合わせた状態で利用者に提示する」との事項を追加する補正は、当初明細書のすべての記載を総合することにより導かれる技術的事項との関係において、新たな技術的事項を導入しないものでない。
　したがって、「撮影手段によって撮像された生成済みの複数の撮影画像が合成された組み合わせパターンにライブビュー画像を組み合わせた状態で利用者に提示する」との事項を追加する補正を含む本件補正は、当初明細書のすべての記載を総合することにより導かれる技術的事項との関係において、新たな技術的事項を導入しないものでないので、当初明細書に記載した事項の範囲内でなされたものではない。
　
（５）本件補正は、以上のとおり、当初明細書に記載した事項の範囲内でなされたものではないので、特許法１７条の２第３項に規定する要件を満たしていない。
　
３　小括
　本件補正は、上記２のとおり、特許法第１７条の２第３項の規定に違反するものであるから、同法第１５９条第１項において読み替えて準用する同法第５３条第１項の規定により却下すべきものである。
　
第３　本願発明について
１　本願発明
　本件補正は上記「第２」のとおり却下されたので、本願の請求項１ないし４に係る発明は、平成２４年５月２２日付けで補正された特許請求の範囲の請求項１ないし４に記載された事項によって特定されるものであるところ、請求項１に係る発明（以下「本願発明」という。）は、平成２４年５月２２日付けで補正された明細書、特許請求の範囲及び図面の記載からみて、上記「第２〔理由〕１（２）」に本件補正前の請求項１として記載したとおりのものである。
　
２　引用例
　原査定の拒絶の理由に引用された「本願の出願前に頒布された刊行物である特開２００４−１７０８２９号公報（以下「引用例」という。）」には、次の事項が図とともに記載されている。
（１）「【００２７】
【発明の実施の形態】
この発明の一実施形態を以下図面と共に説明する。
まず、図１に示す写真シール作成機１の概観斜視図、図２に示す写真シール作成機１の平面図（一部断面図）、及び図３に示す筐体９の一部断面図と共に、写真シール作成機１の構成について説明する。
【００２８】
写真シール作成機１は、ボックス状の枠体５で全体を囲繞し、
【００２９】
前記枠体５の幅方向中央部には、上端の前後にカーテンレール６を架設し、該カーテンレール６に仕切りカーテン７を吊るして、枠体５内を撮像空間Ａ及び撮像空間Ｂに分割している
【００３０】
前記枠体５の正面奥側には筐体９を備えており、
【００３１】
該背景カーテン２は、色若しくは模様の異なる等幅のカーテン（面）を横方向に３つ連結して構成し、利用者が幅寄せ等を行うことで、背景に使用する色若しくは模様を撮像空間Ａ，Ｂのそれぞれで個別に選択できるように構成している。
【００３２】
前記筐体９には、正面の鉛直方向中央部に前下がりの傾斜面を形成して該傾斜面にモニタ１４（表示手段）を備える。該モニタ１４には、タッチパネル１５ａを重ねて設け、その左右に備えたタッチペン１５ｂ，１５ｂと共に入力装置１５を構成し、タッチペン１５ｂでタッチパネル１５ａをタッチさせて、利用者の入力を許容する
【００３３】
前記傾斜面の上方の鉛直面には、左右（幅方向）にデジタルカメラ１２Ａ，１２Ｂを配設し、
【００３４】
なお、該照明装置１３（１３Ａ，１３Ｂ）は、ボックス状に形成して正面を白色半透明の拡散板で形成し、他の面を白色塗装した反射板で形成する。これにより、ストロボ発光体で奥側に向かって照射する照射光を前記反射板で反射し、その反射光を拡散板で拡散して主に被写体を略均一に照明する。
【００３５】
また、デジタルカメラ１２Ａは、照明装置１３Ａの照明光を利用して撮像空間Ａ内の被写体を撮像し、デジタルカメラ１２Ｂは、照明装置１３Ｂの照明光を利用して撮像空間Ｂ内の被写体を撮像する。
【００３６】
加えて、前記仕切りカーテン７は、撮像時には撮像空間Ａ及び撮像空間Ｂを完全に分割するように閉めて、それぞれの撮像空間の撮像条件（照明光や反射光による照明条件、又は／及び外界が写らない背景条件）を整え、編集時には仕切りカーテン７を開けて、別々に撮像した利用者が合成画像を前記入力装置１５で一緒に落書き等の画像編集を行うことができる。
【００３７】
前記傾斜面の下方の鉛直面には、硬貨の投入を許容する貨幣投入口１６ａを備え、筐体９の右側面下部には、作成した写真シールシートを排出する写真シール排出口１８ａを備え
【００３８】
該写真シール排出口１８ａの内部には、
パーソナルコンピュータで構成した制御装置１１とその上方に設置したプリンタ１８を備え
【００３９】
該プリンタ１８は、インクジェットプリンタで構成し、シール紙ユニット３０のシール紙３２に写真印刷等の印刷を行う。また、シール紙ユニット３０をセット可能（着脱可能）に形成しており、背面側にＩＤタグリーダ／ライタ１７を備える。
【００４０】
前記シール紙ユニット３０は、ロール状のシール紙３２とその側面に備えたＩＤタグ３１で構成し、該ＩＤタグ３１は前記ＩＤタグリーダ／ライタ１７によるデータの読書きを許容する。なお、前記プリンタ１８でシール紙３２に画像が印刷されて作成された写真シールシート３３は、前記写真シール排出口１８ａから排出する。
【００４１】
以上の構成により、
複数人の利用者が撮像空間Ａ及びＢで別々に撮像し、各撮像画像を合成した合成画像の編集を入力装置１５で一緒に行うことが出来る
　
（２）「【００４２】
次に、図４に示すブロック図と共に、写真シール作成機１の制御回路の構成について説明する。
制御装置１１は、
利用者に選択されたコラージュパターン（後述）に基づく合成処理も実行する
【００４３】
デジタルカメラ１２Ａ，１２Ｂ
制御装置１１からのシャッタ信号を受けて撮像を実行し、該撮像による撮像画像を静止画データで、また撮像前のプレビュー画像を動画データで、それぞれ画像データとして制御装置１１に送信する
【００４４】
照明装置１３Ａ，１３Ｂは、制御装置１１からの照明制御信号に従ってストロボ発光を実行し、撮像時に被写体を略均一に照明する。なお、該照明装置１３は、ストロボ発光するストロボ照明装置に加えて蛍光灯照明装置又は／及び白熱灯照明装置を追加しても良く、またストロボ照明装置に替えて蛍光灯照明装置又は／及び白熱灯照明装置を備えても良い。
【００４５】
モニタ１４は、制御装置１１からのＲＧＢ信号に従って、プレビュー、撮像画像、画像編集時のペンツールやスタンプルール等のアイテム画像等、必要な画像を表示する
【００４６】
入力装置１５は、前述のタッチパネル１５ａ（図１）とタッチペン１５ｂで構成し、利用者にタッチペン１５ｂでタッチされた座標を入力信号として制御装置１１に送信する。
【００４７】
貨幣処理装置１６は、前述の貨幣投入口１６ａ（図１）の内部に位置して設けており、該貨幣投入口１６ａから投入された硬貨等のコインの真偽判別及び金種判別を実行する。該真偽判別及び金種判別が正であれば、プレイを開始する起動信号を制御装置１１に送信する。
【００４８】
ＩＤタグリーダ／ライタ１７は、制御装置１１の更新信号に従ってシール紙ユニット３０のＩＤタグ３１に印刷残回数などの設定データを記憶させる。また、読出信号として前記ＩＤタグ３１に記憶のＩＤナンバーや印刷残回数などの設定データを制御装置１１に送信し、シール紙ユニット３０の適否判断を可能にする。
【００４９】
プリンタ１８は、制御装置１１からプリント画像データを受信し、該プリント画像をシール紙３２に印刷して作成した写真シールシート３３を排出する。
記憶装置１９は、照明光度やプレイ料金等の各種設定データ、必要なプログラム、及びコラージュパターン（後述）データを記憶する。
【００５０】
以上の回路構成により、２つのデジタルカメラ１２Ａ，１２Ｂで撮像したそれぞれの撮像画像を合成パターンに基づいて１つの画像に合成し、プリンタ１８で印刷した写真シールシート３３を排出することができる。」
　
（３）「【００５１】
次に、図５、図７に示す処理フロー図と共に、図６、図８に示す画面イメージ図を参照して、写真シール作成機１の制御装置１１の動作について説明する。  まず仕切りカーテン７を開いた状態にし、利用者によって貨幣投入口１６ａにコインが投入されると（ステップｎ１）、
制御装置１１は
撮像モード選択画面をモニタ１４に表示し、利用者にコラージュグループ、若しくは通常撮像を選択させる
【００５２】
ここで
コラージュグループとは
撮像画像の合成パターンであるコラージュパターン４１の集合体を指す
【００５３】
また、
コラージュパターン４１とは、合成する各撮像画像の配置パターン
例えば撮像空間Ａの撮像画像を中央に大きく表示し、該撮像画像の円周上に小さく表示する撮像空間Ｂの撮像画像を等間隔に配置するパターン
【００５４】
さらにコラージュパターンには、利用者を全身撮像するか上半身撮像するかを設定しており、コラージュパターンの選択に従ってデジタルカメラ１２のズーム率（光学ズーム又は／及びデジタルズーム）を確定する。
【００５５】
また、コインの投入口である貨幣投入口１６ａは１箇所であり、前記ステップｎ１から後述のステップｎ１１までの処理を、単体の写真シール作成機１で１プレイとして実行する。
【００５６】
前記ステップ２でコラージュグループが選択された場合には（ステップｎ３）、制御装置１１は撮像空間Ａ及び撮像空間Ｂのそれぞれで撮像処理を実行する（ステップｎ４，ｎ５）。ここで、制御装置１１のマルチタスク機能により、撮像空間Ａ及び撮像空間Ｂでの各撮像処理はそれぞれ独立して実行する。
【００５７】
該撮像処理について詳述すると、図７に示すように、制御装置１１はモニタ１４に図８に示すコラージュパターン選択画面を表示する（ステップｓ１）。なお、図８はバリエーション配置のコラージュグループが選択された場合を示す。
【００５８】
また、このコラージュパターンの選択は、仕切りカーテン７を閉めた状態で実行するため、横方向中央に画面分割線４３で分割し、撮像空間Ａ，Ｂそれぞれでそれぞれのタッチペン１５ｂで選択できるように構成している。
【００５９】
また仕切りカーテン７を閉めるためには、ステップｓ１の手前で「仕切りカーテンを閉めてください」といったメッセージを、モニタ１４に表示又は音声でアナウンス（スピーカ等の適宜発音手段を利用）することが望ましい。
【００６０】
このようにして、
利用者によって入力装置１５で、条件指定の選択としてコラージュパターンが選択
されて決定ボタンがタッチされると、制御装置１１は利用するコラージュパターンを選択されたものに確定
し、
プレビュー画像をリアルタイムに動画表示
【００６１】
なお、
前記プレビュー画像では、
コラージュパターン４１の部分枠４２内に表示されてプレビューでき
【００６２】
これにより、撮像が終了するまで仕上がりが予測できない面白さを演出する。なお、この実施形態では、前記部分枠４２を枠として線画で表示しているが、枠線自体は表示せずに部分枠４２内の被写体（利用者）のみを表示しても良い。
【００６３】
画面上の配置入替ボタンがタッチされた場合は、撮像空間Ａで撮像する利用者Ａと撮像空間Ｂで撮像する利用者Ｂの配置関係を図中の（４）に示すように逆転して表示する。これにより、コラージュパターン選択時での選択数を減少して選択時間削減を図り、また配置関係をわかりやすく表示して最終決定できるようにしている。
【００６４】
このようにして
プレビュー確認を行い、利用者によって画面上の撮像ボタン（シャッタボタン）が押下されると
制御装置１１は
カウントダウンを開始し、カウントダウンのタイミングに合わせて
デジタルカメラ１２での静止画撮像を実行
【００６５】
制御装置１１は撮像画像を確認させる確認画面をモニタ１４に表示して利用者に撮像画像を確認させる（ステップｓ５）。
前記確認画面で利用者にＯＫボタンが選択されれば規定枚数（例えば２枚）撮像したか否かをチェックして規定枚数撮像までステップｓ２から繰り返し、規定枚数撮像すれば撮像処理を終了する（ステップｓ６）。
【００６６】
図５の処理フロー図に戻り、
制御装置１１は、前記撮像処理で取得した各撮像画像を、
選択されたコラージュパターンに従ってクロマキー合成する合成処理を実行
背景色
の部分を切り抜き、被写体である利用者を残
【００６７】
制御装置１１は、撮像空間
の両撮像処理が終了するのを待ち
編集処理を実行する
【００６８】
該編集処理では、縁どりペンやらめペン等のペンツール、及び、さくらんぼや犬等の画像をスタンプのように書き込めるスタンプツール等の落書きツールを表示し、
利用者にタッチペン１５ｂで選択された撮像画像に対して落書きツールを利用した落書き編集等の編集操作を許容する
【００６９】
また編集処理として、前記クロマキー合成を利用して利用者の背景に書き込みを行う背景描画も許容する。この背景描画は、利用者Ａ及び利用者Ｂの背景に描画する、利用者Ａの背景に描画する（すなわち利用者Ａのみマスクをかけて利用者Ｂの上には書き込める）、及び利用者Ｂの背景に描画する（すなわち利用者Ｂのみマスクをかけて利用者Ａの上には書き込める）といった描画方法を利用者が任意に選択できるように構成する。
【００７０】
前述のステップｎ３でコラージュグループが選択されずに通常撮像が選択された場合には、撮像空間Ａのみを利用して撮像処理を実行する（ステップｎ８）。該撮像処理では、図７と共に説明した撮像処理からステップｓ１のコラージュパターン選択処理を削除し、ステップｓ２のプレビュー表示（ライブビュー表示）でデジタルカメラ１２からの映像で動画表示をそのまま表示するよう変更し、他の処理は同一の処理とした通常撮像処理を実行する。
【００７１】
また、該通常撮像処理では、撮像空間Ｂは不使用であることを明確にするため、撮像空間Ｂ側の照明光度を落とすと共に、モニタ１４は撮像空間Ａ側の半面のみで表示する。
【００７２】
該通常撮像処理が終了すると、制御装置１１は編集処理を実行する（ステップｎ９）。該編集処理は、前記ステップｎ７で説明した編集操作のうち、背景描画に関して被写体である利用者全員の背景を描画する機能に限定されるだけで（すなわち複数の利用者で各々にマスクをかけて描画することはできない）、後は同一の編集を許容する。
【００７３】
前記
編集処理
が終了すると、制御装置１１は、
作成された編集画像を、どのように分割して印刷するかを選択させ
利用者
【００７４】
前記印刷画像選択処理が終了すると、
制御装置１１は印刷処理を実行し、編集画像を分割数に従って
プリンタ１８でシール紙３２に印刷して
写真シールシート３３を写真シール排出口１８ａから排出
【００７５】
以上の動作により、利用者は複数人で別々の撮像空間で背景に使用するカーテン２の面を自由に選択し、それぞれの好みの撮像条件で撮像することができる。このように
別々に撮像した撮像画像をコラージュパターンに従って配置合成した合成画像を取得し、該合成画像に一緒に落書き等の編集処理を行い、
【００７６】
複数の利用者が別々の撮像空間に分かれて撮像することで、合成処理のバリエーションが増加すると共にクロマキー合成の精度も向上し、アミューズメント性の豊富な編集処理を提供することが可能となる。
【００７７】
特に撮像空間の数に対応した利用者、すなわちこの実施形態では２人の利用者がコラージュパターンを利用する場合は、一人ずつの撮像空間を確保することで理想的な照明条件を提供することができる。従って、複数人で撮像する場合のように、他者の影による影響等を受けず、美しく撮像した上で合成することが可能となる。
【００７８】
また、撮像空間を１つしか備えない従来の写真シール作成機１と比較して、デジタルカメラ１２及び照明装置１３の追加程度で済むため、コスト増を抑制して提供することができる。
【００７９】
なお、前述した図７のステップｓ２のプレビュー表示では、相手側（隣側）の撮像空間で撮像中（プレビュー表示中）又は撮像済みの場合に、相手側の映像も動画表示し、利用者同士で協力して合成画像を作成できるように構成しても良い。この場合は、コラージュパターンを利用した遊びのある合成画像を協力して仕上げる楽しさが提供できる。」
　
（４）上記（１）ないし（３）から、引用例には次の発明が記載されているものと認められる。
「ボックス状の枠体５で全体を囲繞し、該枠体５の幅方向中央部の上端の前後にカーテンレール６を架設し、該カーテンレール６に仕切りカーテン７を吊るして、該枠体５内を撮像空間Ａ及び撮像空間Ｂに分割し、該枠体５の正面奥側には筐体９を備え、該筐体９には、正面の鉛直方向中央部に前下がりの傾斜面を形成して該傾斜面にモニタ１４を備え、該モニタ１４には、タッチパネル１５ａを重ねて設け、その左右に備えたタッチペン１５ｂ，１５ｂと共に入力装置１５を構成し、タッチペン１５ｂでタッチパネル１５ａをタッチさせて、利用者の入力を許容し、前記傾斜面の上方の鉛直面には、左右（幅方向）にデジタルカメラ１２Ａ，１２Ｂを配設し、前記傾斜面の下方の鉛直面に、硬貨の投入を許容する貨幣投入口１６ａを備え、前記筐体９の右側面下部に、作成した写真シールシートを排出する写真シール排出口１８ａを備え、該写真シール排出口１８ａの内部には、パーソナルコンピュータで構成した制御装置１１とその上方に設置したプリンタ１８を備え、
　デジタルカメラ１２Ａ，１２Ｂは、制御装置１１からのシャッタ信号を受けて撮像を実行し、該撮像による撮像画像を静止画データで、また撮像前のプレビュー画像を動画データで、それぞれ画像データとして制御装置１１に送信し、
　前記モニタ１４は、制御装置１１からのＲＧＢ信号に従って、プレビュー、撮像画像、画像編集時のペンツールやスタンプルール等のアイテム画像等、必要な画像を表示し、
　前記制御装置１１は、利用者に選択されたコラージュパターンに基づく合成処理も実行し、
　複数人の利用者が撮像空間Ａ及びＢで別々に撮像し、各撮像画像を合成した合成画像の編集を入力装置１５で一緒に行うことが出来る、写真シール作成機であって、
　前記制御装置１１は、撮像モード選択画面をモニタ１４に表示し、合成する各撮像画像の配置パターンであり、例えば撮像空間Ａの撮像画像を中央に大きく表示し、該撮像画像の円周上に小さく表示する撮像空間Ｂの撮像画像を等間隔に配置するパターンであるコラージュパターン４１の集合体を指すコラージュグループ、若しくは通常撮像を、利用者に選択させ、
　利用者によって入力装置１５で、条件指定の選択としてコラージュパターンが選択されて決定ボタンがタッチされると、前記制御装置１１は、利用するコラージュパターンを選択されたものに確定し、プレビュー画像をコラージュパターン４１の部分枠４２内にリアルタイムに動画表示し、
　プレビュー確認を行い、利用者によって画面上の撮像ボタン（シャッタボタン）が押下されると、前記制御装置１１は、カウントダウンを開始し、カウントダウンのタイミングに合わせて前記デジタルカメラ１２での静止画撮像を実行し、取得した各撮像画像を、選択されたコラージュパターンに従って背景色の部分を切り抜き被写体である利用者を残すクロマキー合成をする合成処理を実行し、
　前記制御装置１１は、撮像空間の両撮像処理が終了するのを待ち、別々に撮像した撮像画像をコラージュパターンに従って配置合成した合成画像を取得し、利用者にタッチペン１５ｂで選択された撮像画像に対して落書きツールを利用した落書き編集等の編集操作を許容して、該合成画像に落書き等の編集処理を行い、該編集処理を終了すると、制御装置１１は、作成された編集画像を、どのように分割して印刷するかを利用者に選択させて印刷処理を実行し、編集画像を分割数に従ってプリンタ１８でシール紙３２に印刷して、写真シールシート３３を写真シール排出口１８ａから排出する、写真シール作成機。」（以下「引用発明」という。）
　
３　対比・判断
（１）引用発明の「利用者」、「プレビュー画像」、「撮像画像」、「デジタルカメラ１２Ａ，１２Ｂ」、「コラージュパターン」、「モニタ１４」、「合成画像」、「『合成処理も実行』する『制御装置１１』」、「選択された撮像画像」、「『タッチパネル１５ａを重ねて設け』た『モニタ１４』と共に『入力装置１５を構成』する『タッチペン１５ｂ，１５ｂ』」、「落書き等の編集処理」、「編集画像」、「『落書きツールを利用した落書き編集等の編集操作』を許容して、『落書き等の編集処理』を行う『制御装置１１』」、「シール紙３２」、「プリンタ１８」、「画面上の撮像ボタン（シャッタボタン）が押下」及び「写真シール作成機」は、それぞれ、本願発明の「利用者」、「ライブビュー画像」、「撮影画像」、「撮影手段」、「組み合わせパターン」、「提示手段」、「合成画像」、「合成手段」、「編集対象画像」、「第１の選択手段」、「所定の編集処理」、「編集済み画像」、「編集手段」、「所定のシール紙」、「印刷手段」、「操作」及び「写真シール作成装置」に相当する。
　
（２）引用発明において、「撮影手段（デジタルカメラ１２Ａ，１２Ｂ）」は、制御装置１１からのシャッタ信号を受けて撮像を実行し、該撮像による「撮影画像（撮像画像）」を静止画データで、また撮像前の「ライブビュー画像（プレビュー画像）」を動画データで、それぞれ画像データとして制御装置１１に送信するものであり、撮像は、複数人の「利用者」が撮像空間Ａ及びＢで別々に行うようになっているから、引用発明の「撮影手段」と本願発明の「撮影手段」とは「利用者のライブビュー画像を取得するとともに、前記利用者を撮影して撮影画像を生成する」点で一致する。
　
（３）引用発明において、「提示手段（モニタ１４）」は、制御装置１１からのＲＧＢ信号に従って、「ライブビュー画像（プレビュー）」、「撮影画像（撮像画像）」、画像編集時のペンツールやスタンプルール等のアイテム画像等、必要な画像を表示し、「合成手段（制御装置１１）」は、「利用者」に選択された「組み合わせパターン（コラージュパターン）」に基づく合成処理も実行し、前記制御装置１１は、撮像モード選択画面を「提示手段」に表示し、合成する各「撮影画像」の配置パターンであり、例えば撮像空間Ａの「撮影画像」を中央に大きく表示し、該「撮影画像」の円周上に小さく表示する撮像空間Ｂの「撮影画像」を等間隔に配置するパターンである「組み合わせパターン」の集合体を指すコラージュグループ、若しくは通常撮像を、「利用者」に選択させ、「利用者」によって入力装置１５で、条件指定の選択として「組み合わせパターン」が選択されて決定ボタンがタッチされると、前記制御装置１１は、利用する「組み合わせパターン」を選択されたものに確定し、「ライブビュー画像」を「組み合わせパターン」の部分枠４２内にリアルタイムに動画表示するところ、この表示が「提示手段」になされることが当業者に自明であり、また、「ライブビュー画像」確認を行い、「利用者」によって「操作（画面上の撮像ボタン（シャッタボタン）が押下）」されると、前記「合成手段」は、カウントダウンを開始し、カウントダウンのタイミングに合わせて前記「撮影手段（デジタルカメラ１２）」での静止画撮像を実行し、取得した各「撮影画像」を、選択された「組み合わせパターン」に従って背景色の部分を切り抜き被写体である「利用者」を残すクロマキー合成をする合成処理を実行し、前記「編集手段（制御装置１１）」は、撮像空間の両撮像処理が終了するのを待ち、別々に撮像した「撮影画像」を「組み合わせパターン」に従って配置合成した「合成画像」を取得し、「利用者」に「第１の選択手段（タッチペン１５ｂ）」で選択された「撮影画像」に対して落書きツールを利用した落書き編集等の編集操作を許容して、該「合成画像」に「所定の編集処理（落書き等の編集処理）」を行い、該「編集処理」を終了すると、制御装置１１は、作成された「編集済み画像（編集画像）」を、どのように分割して印刷するかを「利用者」に選択させて印刷処理を実行し、「編集済み画像」を分割数に従って「印刷手段（プリンタ１８）」で「所定のシール紙（シール紙３２）」に印刷して、写真シールシート３３を写真シール排出口１８ａから排出するから、引用発明の「提示手段」と本願発明の「提示手段」とは「組み合わせパターンに前記ライブビュー画像を組み合わせた状態で利用者に提示する」点で一致し、引用発明の「合成手段」と本願発明の「合成手段」とは「複数の前記撮影画像を前記組み合わせパターンにしたがって合成して合成画像を生成する」点で一致し、引用発明の「第１の選択手段」と本願発明の「第１の選択手段」とは「前記撮影画像および前記合成画像を選択肢として前記利用者に編集対象画像を選択させる」点で一致し、引用発明の「編集手段」と本願発明の「編集手段」とは「選択された前記編集対象画像に所定の編集処理を施して編集済み画像を生成する」点で一致し、引用発明の「印刷手段」と本願発明の「印刷手段」とは「前記編集済み画像を所定のシール紙に印刷する」点で一致し、引用発明の「撮影手段」と本願発明の「撮影手段」とは「前記提示手段により提示された、組み合わせパターンに前記ライブビュー画像を組み合わせた状態を確認した前記利用者からの操作に応じて前記利用者を撮影して前記撮影画像を生成する」点でも一致する。
　
（４）上記（１）ないし（３）から、本願発明と引用発明とは、
「利用者のライブビュー画像を取得するとともに、前記利用者を撮影して撮影画像を生成する撮影手段と、
　組み合わせパターンに前記ライブビュー画像を組み合わせた状態で利用者に提示する提示手段と、
　複数の前記撮影画像を前記組み合わせパターンにしたがって合成して合成画像を生成する合成手段と、
　前記撮影画像および前記合成画像を選択肢として前記利用者に編集対象画像を選択させる第１の選択手段と、
　選択された前記編集対象画像に所定の編集処理を施して編集済み画像を生成する編集手段と、
　前記編集済み画像を所定のシール紙に印刷する印刷手段と
　を備え、
　前記撮影手段は、前記提示手段により提示された、組み合わせパターンに前記ライブビュー画像を組み合わせた状態を確認した前記利用者からの操作に応じて前記利用者を撮影して前記撮影画像を生成する
　写真シール作成装置。」である点で一致し、相違するところはない。
　したがって、本願発明は引用発明と同一の発明であり、引用例に記載された発明である。
　
　なお、原査定の拒絶の理由は、特許法第２９条第１項第３号に該当するというものではないが、審判請求人は、審判請求書において、本願発明と上記引用例とを対比し、容易性のみならず、同一性についても検討していることは明らかである。
　
４　むすび
　本願発明は、以上のとおり、刊行物に記載された発明であるから、特許法第２９条第１項第３号に該当し特許を受けることができない。
　よって、結論のとおり審決する。